(57)【特許請求の範囲】
【請求項１】
診療記録を記憶する記録媒体を読み取り可能な入力装置と、当該入力装置と通信可能な端末装置と、前記診療記録の読影に用いられる読影装置と、を備える診療記録転送システムであって、
前記入力装置は、
前記記録媒体から前記診療記録を入力する入力部と、
入力された前記診療記録を前記入力装置内に一時記憶する記憶部と、
記憶した前記診療記録を前記端末装置に転送する診療記録転送部と、
を有し、
前記端末装置は、
前記診療記録を前記読影装置に対して転送する患者側転送部を有し、
前記読影装置は、
前記診療記録の読影結果を前記端末装置に対して転送する医師側転送部を有する、
診療記録転送システム。
【請求項２】
前記入力装置の前記診療記録転送部は、前記診療記録を転送すると、前記記憶部に一時記憶した前記診療記録を消去する、
請求項１に記載の診療記録転送システム。
【請求項３】
前記入力装置は、
前記診療記録が入力されると、前記入力装置と通信を行うためのコネクション情報を生成し、出力するコード処理部を更に有し、
前記端末装置は、
前記入力装置から出力された前記コネクション情報を取得する取得部と、
取得した前記コネクション情報に基づいて、前記入力装置との間のコネクションを確立する接続部と、
を有し、
前記入力装置の前記診療記録転送部は、確立した前記コネクションを用いて前記診療記録を前記端末装置に転送する、
請求項１又は２に記載の診療記録転送システム。
【請求項４】
前記端末装置の患者側転送部は、ユーザの入力操作に応じて受け付けたコメントを、前記診療記録と関連付けて前記読影装置に転送する、
請求項１から３のいずれかに記載の診療記録転送システム。
【請求項５】
前記読影装置は、
医師が所属する病院内の診療記録を管理する管理部と、
前記端末装置から前記診療記録が転送されると、当該病院において前記端末装置のユーザに対して設定した患者ＩＤを付して前記管理部に前記診療記録を記憶する記憶制御部と、
を更に有する請求項１から４のいずれかに記載の診療記録転送システム。
【請求項６】
前記端末装置と前記読影装置との間の転送を中継する中継装置を更に備え、
前記端末装置の前記患者側転送部は、前記中継装置を介して前記診療記録を前記読影装置に転送し、
前記読影装置の前記医師側転送部は、前記中継装置を介して前記読影結果を前記端末装置に転送する、
請求項１から５のいずれかに記載の診療記録転送システム。
【請求項７】
前記中継装置は、
前記患者側転送部を介して転送された前記診療記録を前記読影装置に転送する第１転送部と、
前記医師側転送部を介して転送された前記読影結果を前記端末装置に転送する第２転送部と、を有し、
前記第１転送部又は前記第２転送部は、前記読影装置に対して前記診療記録を転送すると、又は前記端末装置に対して前記読影結果を転送すると、転送した前記診療記録又は前記読影結果を前記中継装置から消去する、
請求項６に記載の診療記録転送システム。
【請求項８】
前記中継装置は、
前記端末装置から前記診療記録を受信すると、受信した前記診療記録の種別に基づいて、当該診療記録を読影する医師を選択する選択部、を更に有し、
前記中継装置の前記第１転送部は、前記選択部の選択に応じた医師が用いる読影装置に、前記診療記録を転送する、
請求項７に記載の診療記録転送システム。
【請求項９】
前記中継装置の前記選択部は、
選択した医師に関する情報を前記端末装置に転送する第３転送部と、
前記端末装置から受信した選択情報に基づいて少なくとも一人の医師を特定する特定部と、を有し、
前記中継装置の前記第１転送部は、前記特定部が特定した医師が用いる読影装置に、前記診療記録を転送する、
請求項８に記載の診療記録転送システム。
【請求項１０】
前記中継装置の前記第３転送部は、選択した医師に関する情報とともに、当該医師が診療記録を診断することに関する料金についての料金情報を前記端末装置に転送する、
請求項９に記載の診療記録転送システム。
【請求項１１】
前記中継装置の選択部は、
選択した医師に対して診療記録の概要を伝えるとともに、当該医師から当該診療記録を診断する際の料金の回答を受け付ける料金確認部を更に有し、
前記中継装置の前記第３転送部は、前記料金確認部が受け付けた回答に基づいて、前記料金情報を前記端末装置に転送する、
請求項１０に記載の診療記録転送システム。
【請求項１２】
記録媒体に記録された診療記録を、前記記録媒体から端末装置及び前記診療記録の読影に用いられる読影装置に転送する診療記録転送方法であって、
前記端末装置と通信可能な入力装置に対して前記記録媒体から前記診療記録を入力するステップと、
入力された前記診療記録を前記入力装置内に一時記憶するステップと、
記憶された前記診療記録を前記入力装置から前記端末装置に転送するステップと、
前記端末装置に転送された前記診療記録を前記端末装置から前記読影装置に対して転送するステップと、
前記読影装置における前記診療記録の読影結果を前記読影装置から前記端末装置に対して転送するステップと、
を含む診療記録転送方法。
【発明の詳細な説明】
【技術分野】
【０００１】
本発明は、記録媒体に記録された患者の診療記録を、当該患者が用いるモバイル装置に転送する診療記録転送システム及び診療記録転送方法に関する。
【背景技術】
【０００２】
従来、医療機関の診療記録（例えば、ＣＴやＭＲＩ等の診断画像）は、ＣＤ（コンパクトディスク）やＵＳＢ等の記録媒体に記録され、患者、受診者、通院者、検診者等の医療機関の利用者に提供されていた。患者等にとってみれば、自らの診療記録を自由に確認できるものの、診療記録が多くなると保有する記録媒体の数も多くなるため、管理が煩雑になっていた。
【０００３】
このような問題に鑑みて本出願人は、既に特許文献１に示す診療記録管理システムを提案している。この診療記録管理システムでは、診療記録をＣＤやＵＳＢ等の記録媒体に記録する代わりに患者のモバイル装置に転送することで、診療記録をモバイル装置内で一元管理可能にしている。
【先行技術文献】
【特許文献】
【０００４】
【特許文献１】特許第５３９３９０５号公報
【発明の概要】
【発明が解決しようとする課題】
【０００５】
本出願人が提案する特許文献１の診療記録管理システムを利用することで、診療記録を記録媒体で管理する必要がなくなり、好適である。しかしながら、既に記録媒体を介して配布された診療記録も多くあり、また、未だ記録媒体を介して診療記録を配布する医療機関も多くあるため、患者による診療記録の管理を容易にする更なる工夫が求められている。
【０００６】
本発明は、このような要望に鑑みてなされたものであり、記録媒体に記録された患者の診療記録を、患者が望む任意の端末装置に転送する診療記録転送システム及び診療記録転送方法を提供することを目的とする。
また、本発明は、モバイル装置に転送された診療記録に対する医師の診断結果を患者が取得可能な診療記録転送システム及び診療記録転送方法を提供することを他の目的とする。
【課題を解決するための手段】
【０００７】
本発明の第１の態様においては、記録媒体に記録された診療記録を、前記記録媒体から他の装置に転送する診療記録転送システムであって、前記記録媒体を読み取り可能な入力装置と当該入力装置と通信可能な端末装置とを備え、前記入力装置は、前記記録媒体から前記診療記録を入力する入力部と、入力された前記診療記録を前記入力装置内に一時記憶する記憶部と、記憶した前記診療記録を前記端末装置に転送する診療記録転送部と、を有する診療記録転送システムを提供する。
【０００８】
また、前記入力装置の前記診療記録転送部は、前記診療記録を転送すると、前記記憶部に一時記憶した前記診療記録を消去することとしてもよい。
【０００９】
また、前記入力装置は、前記診療記録が入力されると、前記入力装置と通信を行うためのコネクション情報を生成し、出力するコード処理部を更に有し、前記端末装置は、前記入力装置から出力された前記コネクション情報を取得する取得部と、取得した前記コネクション情報に基づいて、前記入力装置との間のコネクションを確立する接続部と、を有し、前記入力装置の前記診療記録転送部は、確立した前記コネクションを用いて前記診療記録を前記端末装置に転送することとしてもよい。
【００１０】
また、診療記録を読影する医師が用いる読影装置を更に備え、前記端末装置は、前記診療記録を前記読影装置に対して転送する患者側転送部を有し、前記読影装置は、前記医師の読影結果を前記端末装置に対して転送する医師側転送部を有することとしてもよい。
【００１１】
また、前記端末装置の患者側転送部は、ユーザの入力操作に応じて受け付けたコメントを、前記診療記録と関連付けて前記読影装置に転送することとしてもよい。
【００１２】
また、前記読影装置は、医師が所属する病院内の診療記録を管理する管理部と、前記端末装置から前記診療記録が転送されると、当該病院において前記端末装置のユーザに対して設定した患者ＩＤを付して前記管理部に前記診療記録を記憶する記憶制御部と、を更に有することとしてもよい。
【００１３】
また、前記端末装置と前記読影装置との間の転送を中継する中継装置を更に備え、前記端末装置の前記患者側転送部は、前記中継装置を介して前記診療記録を前記読影装置に転送し、前記読影装置の前記医師側転送部は、前記中継装置を介して前記読影結果を前記端末装置に転送することとしてもよい。
【００１４】
また、前記中継装置は、前記患者側転送部を介して転送された前記診療記録を前記読影装置に転送する第１転送部と、前記医師側転送部を介して転送された前記読影結果を前記端末装置に転送する第２転送部と、を有し、前記第１転送部又は前記第２転送部は、前記読影装置に対して前記診療記録を転送すると、又は前記端末装置に対して前記読影結果を転送すると、転送した前記診療記録又は前記読影結果を前記中継装置から消去することとしてもよい。
【００１５】
また、前記中継装置は、前記端末装置から前記診療記録を受信すると、受信した前記診療記録の種別に基づいて、当該診療記録を読影する医師を選択する選択部、を更に有し、前記中継装置の前記第１転送部は、前記選択部の選択に応じた医師が用いる読影装置に、前記診療記録を転送することとしてもよい。
【００１６】
また、前記中継装置の前記選択部は、選択した医師に関する情報を前記端末装置に転送する第３転送部と、前記端末装置から受信した選択情報に基づいて少なくとも一人の医師を特定する特定部と、を有し、前記中継装置の前記第１転送部は、前記特定部が特定した医師が用いる読影装置に、前記診療記録を転送することとしてもよい。
【００１７】
また、前記中継装置の前記第３転送部は、選択した医師に関する情報とともに、当該医師が診療記録を診断することに関する料金についての料金情報を前記端末装置に転送することとしてもよい。
【００１８】
また、前記中継装置の選択部は、選択した医師に対して診療記録の概要を伝えるとともに、当該医師から当該診療記録を診断する際の料金の回答を受け付ける料金確認部を更に有し、前記中継装置の前記第３転送部は、前記料金確認部が受け付けた回答に基づいて、前記料金情報を前記端末装置に転送することとしてもよい。
【００１９】
また、本発明の第２の態様においては、記録媒体に記録された診療記録を、前記記録媒体から他の装置に転送する診療記録転送方法を提供する。この診療記録転送方法は、所定の端末装置と通信可能な入力装置に対して前記記録媒体から前記診療記録を入力するステップと、入力された前記診療記録を前記入力装置内に一時記憶するステップと、記憶された前記診療記録を前記端末装置に転送するステップと、を含む診療記録転送方法を提供する。
【図面の簡単な説明】
【００２０】
【図１】診療記録転送システムのシステム構成を示す図である。
【図２】第１実施形態の診療記録転送システムの概要を示す図である。
【図３Ａ】入力装置の機能構成を示すブロック図である。
【図３Ｂ】モバイル装置の機能構成を示すブロック図である。
【図４】入力装置からモバイル装置に診断画像を転送する際の動作例を示す図である。
【図５】診断画像の一例を示す図である。
【図６】第１実施形態の診療記録転送システムの概要を示す図である。
【図７Ａ】モバイル装置の機能構成を示すブロック図である。
【図７Ｂ】中継装置の機能構成を示すブロック図である。
【図７Ｃ】読影装置の機能構成を示すブロック図である。
【図８】読影装置に診断画像を転送する際の動作の概要を示す図である。
【図９】第２実施形態の診療記録転送システムの概要を示す図である。
【図１０】第２実施形態の診療記録転送システムの動作の概要を示す図である。
【図１１】第２実施形態の診療記録転送システムの動作例を示す図である。
【図１２】第３実施形態の診療記録転送システムの概要示す図である。
【発明を実施するための形態】
【００２１】
［第１実施形態］
初めに、図１〜図８を参照して、本発明の診療記録転送システムＳの第１実施形態について説明する。
【００２２】
［診療記録転送システムＳの概要］
初めに、図１を参照して、本発明の診療記録転送システムＳの概要について説明する。本発明の診療記録転送システムＳは、病院等の医療機関から記録媒体１００を介して配布された診療記録を、記録媒体１００からユーザが所望する任意の端末装置に転送する。一例として、記録媒体１００からユーザ（患者、受診者、通院者、検診者等）が用いるモバイル装置２に転送し、モバイル装置２で一元管理可能にする。また、診療記録転送システムＳは、モバイル装置２に転送した診療記録を、医師が用いる読影装置４に転送し、医師による診断を受け、モバイル装置２に診断結果を転送する。
【００２３】
なお、医療機関から配布される診療記録は、当該医療機関で診療した内容を記録したテキスト、音声、画像、動画等のデータである。テキスト及び音声としては、医療機関で使用する電子カルテ、ユーザの情報や検査内容、診療時の医師の所見等が含まれる。また、画像及び動画としては、各種レントゲン画像、ＣＴ画像、ＭＲＩ画像、超音波画像、及び内視鏡検査画像等の静止画及び動画が含まれる。このような診療記録は、医療機関で使用される各種画像保存通信システム（ＰＡＣＳ、Picture Archiving and Communication System）において保存、管理される。
以下に示す実施形態では、診療記録としてレントゲン画像やＣＴ画像等の各種診断画像を例にとり説明する。
【００２４】
図１に示すように、診療記録転送システムＳは、入力装置１と、モバイル装置２と、中継装置３と、読影装置４と、を含んで構成される。
【００２５】
入力装置１は、病院等の医療機関から配布された診療記録を読み込み、可逆圧縮方式（lossless compression）で保存してモバイル装置２に転送する。ここで、診療記録は、ＣＤやＵＳＢ等の補助記録装置に保存し配布する場合や、ＰＡＣＳサーバにアップロードし配布する場合がある。そのため、ＣＤやＵＳＢ等の補助記録装置を読み込み可能なドライバを有するパーソナルコンピュータや、ＰＡＣＳサーバにアクセス可能なキオスク端末等が入力装置１として機能する。なお、キオスク端末とは、各病院に関連付けて設置された双方向通信可能な情報通信端末であり、例えば、病院を訪れた患者の操作に応じて院内手続きや診療予約等を行う。
【００２６】
モバイル装置２は、診療記録転送システムＳを利用するユーザが用いる端末装置であり、例えば、ユーザが携帯可能なスマートフォン、携帯電話、タブレット端末等のモバイル機器である。中継装置３は、診療記録転送システムＳにおけるサービスの一部を制御するサーバであり、モバイル装置２を用いるユーザと読影装置４を用いる医師との間をやり取りを中継する。
【００２７】
読影装置４は、診療記録を用いてユーザの診断を行う医師が用いる端末装置である。このような読影装置４としては、例えば、病院内に設けられた病院側サーバ４Ａを採用することもでき、また、医師個人の医師用端末４Ｂを採用することもできる。一例として、医師が比較的大きな病院に所属する場合、病院側サーバ４Ａに対して診療記録を転送する。また、例えば、医師が開業医の場合、医師個人の医師用端末４Ｂに対して診療記録を転送することで、医師に対して診療記録を転送することができる。
医師は、読影装置４を用いて診療記録を読み出すと、この診療記録に対する所見（診断結果）を読影装置４に入力する。読影装置４に入力された診断結果は、必要に応じてモバイル装置２に転送される。
【００２８】
入力装置１、モバイル装置２、中継装置３及び読影装置４は、それぞれ通信可能に接続される。一例として、入力装置１とモバイル装置２とは、ＷｉＦｉ（登録商標）等の近距離無線通信や所定のケーブルを介して通信可能に接続される。また、モバイル装置２、中継装置３及び読影装置４のそれぞれは、インターネット等の所定の通信回線を介して通信可能に接続される。
【００２９】
診療記録転送システムＳでは、モバイル装置２のユーザが入力装置１から自身の診療記録（診断画像）を取得すると、モバイル装置２は、ユーザの操作に応じて、中継装置３に取得した診断画像を転送する。中継装置３では、受信した診断画像を診断可能な医師を選択し、当該医師が利用する読影装置４に対して診断画像を転送する。中継装置３が選択した医師が、この診断画像を読影し診断結果を作成すると、診断結果が読影装置４から中継装置３を介してモバイル装置２に転送される。
【００３０】
［モバイル装置２への診断画像の転送］
続いて、図２を参照して、モバイル装置２に診断画像を転送する際の概要について説明する。
モバイル装置２は、携帯利用される端末装置であるため、ＣＤ−ＲＯＭドライブ等の駆動装置は設けられていないことが一般的である。そのため、モバイル装置２では、医療機関から提供された診断画像を記録媒体１００から直接取得することはできない。そこで、診療記録転送システムＳでは、診断画像を記録媒体１００から入力装置１に転送した後に、入力装置１からモバイル装置２に転送することとしている。
【００３１】
具体的には、入力装置１には、所定のソフトウェアプログラムがインストールされており、記録媒体１００から診断画像を読み出すと、入力装置１は、所定フォルダ内に診断画像を一時的に保存するとともに、入力装置１に対するアクセスを可能にするためのコネクション情報を含むＱＲコード（登録商標）等の二次元コード１１０を生成し、出力する。モバイル装置２は、入力装置１から出力された二次元コード１１０を読み取ることでコネクション情報を取得し、このコネクション情報に基づいて入力装置１との間のコネクションを確立し、入力装置１から診断画像を取得する。
ここで、コネクション情報とは、例えば、入力装置１のＩＰアドレス、ポート番号、使用するＷｉＦｉネットワーク名、診断画像を保存したフォルダ場所等の情報である。
【００３２】
一例として、診断画像がＰＡＣＳサーバ又は医療機器にアップロードされることでユーザに配布される場合、ユーザは、病院内のキオスク端末又はコンピュータ（入力装置１）を操作し、転送対象となる診断画像を選択する。この選択を受け付けると、キオスク端末又はコンピュータは、ＰＡＣＳサーバ又は医療機器から選択された診断画像を読み出すとともに、二次元コード１１０を表示部に表示する。その後、ユーザがモバイル装置２を用いて二次元コード１１０を読み取ると、モバイル装置２は、二次元コード１１０からコネクション情報を取得する。モバイル装置２は、このコネクション情報を用いてキオスク端末と通信し、ユーザ自身の診断画像を取得する。
【００３３】
また、診断画像がＣＤに保存してユーザに配布される場合、ユーザは、ＰＣ等の任意の端末装置（入力装置１）を用いて、当該端末装置上でＣＤを読み込む。すると、端末装置の表示部には、二次元コード１１０が表示されるため、この二次元コードを読み込むことで、モバイル装置２は、端末装置とのコネクションを確立し、端末装置から診断画像を取得する。
【００３４】
［入力装置１とモバイル装置２の構成］
続いて、図３を参照して、モバイル装置２に診断画像を転送するための具体的な構成について説明する。図３Ａは、入力装置１の機能構成を示すブロック図であり、図３Ｂは、モバイル装置２の機能構成を示すブロック図である。
【００３５】
図３Ａに示すように、入力装置１は、読取部１１と、記憶部１２と、出力部１３と、通信部１４と、制御部１５と、を含んで構成される。
【００３６】
読取部１１は、ＣＤ−ＲＯＭドライブやＵＳＢポート等であり、記録媒体１００を読み取り、記録媒体１００に保存された診断画像を取得する。読取部１１を介して読み取られた診断画像は、記憶部１２の所定領域に記憶される。
記憶部１２は、例えば、ＲＯＭ及びＲＡＭ等により構成され、入力装置１を機能させるための各種プログラムや各種データを記憶する。また、記憶部１２は、記録媒体１００から読み出した診断画像を一時的に記憶する。
【００３７】
出力部１３は、例えば、液晶ディスプレイや有機ＥＬ（Electro-Luminescence）ディスプレイ等により構成される。出力部１３は、制御部１５の制御に応じて、二次元コード１１０を出力する。なお、二次元コード１１０は、モバイル装置２が読み取り可能であれば足りるため、ディスプレイを介した出力に限らず、印刷により出力することとしてもよい。
通信部１４は、外部機器との間で通信を行う通信インターフェイス（以下、通信ＩＦ）であり、例えば、インターネット等を介して通信を行う通信ＩＦ、近距離無線通信を介して通信を行う通信ＩＦ、ケーブル等を介して通信を行う通信ＩＦである。本実施形態では、入力装置１がモバイル装置２と通信する場合、入力装置１は、近距離無線通信やケーブル等を介して通信を行う。
【００３８】
制御部１５は、例えば、ＣＰＵにより構成される。制御部１５は、記憶部１２に記憶されている各種プログラムを実行することにより、入力装置１に係る機能を統括的に制御し、入力部１５１、コード処理部１５２及び診療記録転送部１５３として機能する。
【００３９】
入力部１５１は、読取部１１を介して、記録媒体１００（ＣＤ，ＵＳＢ，ＰＡＣＳサーバ等）に保存されたユーザの診断画像を読み取り、記憶部１２に記憶するとともに、読み取った診断画像の一覧情報を出力部１３から出力する。
コード処理部１５２は、入力装置１に診断画像が入力されると、入力装置１と通信を行うためのコネクション情報を有する二次元コード１１０を生成し、出力部１３から出力する。
【００４０】
診療記録転送部１５３は、記憶部１２に記憶した診断画像を、コネクション情報を介して確立されたコネクションを用いて、モバイル装置２に対して転送する。このとき、診療記録転送部１５３は、モバイル装置２に対して診断画像を転送すると、記憶部１２に記憶した診断画像を全て消去する。これにより、入力装置１に診断画像が残ったままになることを防止でき、個人情報を適切に保護することができる。
【００４１】
続いて、図３Ｂに示すように、モバイル装置２は、読取部２１と、記憶部２２と、表示部２３と、入力部２４と、通信部２５と、制御部２６と、を含んで構成される。
【００４２】
読取部２１は、例えば、カメラ等の撮影部であり、二次元コード１１０を撮影することで二次元コード１１０に含まれる各種情報を取得する。
記憶部２２は、例えば、ＲＯＭ及びＲＡＭ等により構成され、モバイル装置２を機能させるための各種プログラムや各種データを記憶する。また、記憶部２２は、入力装置１から転送された診断画像や読影装置４から転送された診断結果を記憶する。
【００４３】
表示部２３は、例えば、液晶ディスプレイや有機ＥＬ（Electro-Luminescence）ディスプレイ等により構成される。表示部２３は、制御部２６の制御に応じて、記憶部１２に記憶された診断画像や診断結果を表示する。
入力部２４は、例えば、ボタンや、表示部２３に重畳して配置される接触センサ等により構成されており、ユーザからの入力操作を受け付ける。
【００４４】
通信部２５は、外部機器との間で通信を行う通信ＩＦであり、例えば、インターネット等を介して通信を行う通信ＩＦ、近距離無線通信を介して通信を行う通信ＩＦ、ケーブル等を介して通信を行う通信ＩＦである。本実施形態において、モバイル装置２が入力装置１と通信する場合、モバイル装置２は、近距離無線通信やケーブル等を介して通信を行う。また、モバイル装置２が中継装置３と通信する場合、モバイル装置２は、インターネット等を介して通信を行う。
【００４５】
制御部２６は、例えば、ＣＰＵにより構成される。制御部２６は、記憶部２２に記憶されている各種プログラムを実行することにより、モバイル装置２に係る機能を統括的に制御し、取得部２５１、接続部２５２及び受信部２５３として機能する。
【００４６】
取得部２５１は、読取部２１を介して二次元コード１１０に含まれるコネクション情報を取得する。接続部２５２は、取得したコネクション情報に基づいて、入力装置１との間のコネクションを確立する。受信部２５３は、確立したコネクションに基づいて入力装置１から転送された診断画像を受信し、記憶部２２に記憶する。
【００４７】
ここで、診断画像の一例を図５に示す。診断画像１２０は、ＤＩＣＯＭ（Digital Imaging and Communication in Medicine）等の所定の規格に応じた画像データであり、図５に示すように、画像情報１２１とヘッダ情報１２２とを少なくとも含む。
画像情報１２１は、ＣＴやＭＲ等で撮影された画像であり、必要に応じて医師が付した矢印やコメント等が含まれる。ヘッダ情報１２２は、診断画像の属性を示すメタデータである。ヘッダ情報１２２には、例えば、診断画像の患者に関する患者情報や、診断画像の部位等を示す撮影情報や、診断画像を作成した医師に関する医師情報等の任意の情報を含めることができる。
【００４８】
［モバイル装置２に診断画像を転送する際の動作例］
続いて、図４にモバイル装置２に診断画像を転送する際の動作例を示す。入力装置１の入力部１５１が記録媒体１００から診断画像を読み取ると、入力装置１の出力部１３から診断画像の一覧情報が出力される。図４（Ａ）は、入力装置１から出力された診断画像の一覧情報の一例を示す。この一覧画面において、ユーザが転送する診断画像を選択すると、コード処理部１５２は、二次元コード１１０を出力（表示又は印刷）する。この二次元コード１１０は、入力装置１とのコネクションを確立するための各種情報（例えば、ＩＰアドレス、ポート番号、使用するＷｉＦｉネットワーク名等）を有する。
【００４９】
モバイル装置２では、読取部２１が二次元コード１１０を読み取ると、取得部２５１が二次元コード１１０に含まれるコネクション情報を取得し、接続部２５２が取得したコネクション情報に基づいて、入力装置１とのコネクションを確立する。このようにしてコネクションが確立されると、入力装置１の診療記録転送部１５３及びモバイル装置２の受信部２５３は、確立されたコネクションを介して診断画像の転送を行う。これにより、図４（Ｂ）に示すように、入力装置１からモバイル装置２に診断画像が転送される。
【００５０】
このようにして入力装置１からモバイル装置２に診断画像が転送されると、モバイル装置２では、転送された診断画像を記憶部２２に記憶する。一方、入力装置１では、モバイル装置２への転送が完了すると、記録媒体１００から読み出した診断画像の全てを消去し、他のユーザによる診断画像の取得を不可能にする。
【００５１】
なお、診断画像を保存する記録媒体１００がＳＤカード等のようにモバイル装置２で直接読み取り可能な記録媒体である場合には、モバイル装置２が記録媒体１００から直接診断画像を取得することとしてもよい。
【００５２】
［読影装置４（医師）への診断画像の転送］
続いて、図６を参照して、モバイル装置２から読影装置４に診断画像を転送する際の概要について説明する。
モバイル装置２に診断画像が転送されると、ユーザは、この診断画像に対して医師の診断を求めることがある。この場合、診療記録転送システムＳでは、モバイル装置２から医師が用いる読影装置４に診断画像を転送する。ユーザの診断画像が医師に転送されると、当該医師は診断画像を読影し、その診断結果（読影レポート）をユーザに対して提供する。
【００５３】
このとき、本実施形態の診療記録転送システムＳでは、中継装置３を介して診断画像や診断結果をリレー転送することができるとともに、中継装置３を介することなくモバイル装置２と読影装置４との間で診断画像や診断結果を直接転送することもできる。
一例として、医師の病院が遠い場合や通院する時間がない場合に、中継装置３を介して診断画像をリレー転送することで、時間をかけることなく医師の診断を受けることができ好適である。また、診断画像を、インターネット等を介することなくモバイル装置２から直接転送することで、自身の診断画像の転送状況をユーザ自身がコントロールすることができ、好適である。
【００５４】
続いて、図７を参照して、モバイル装置２から読影装置４に診断画像を転送するための具体的な構成について説明する。図７Ａは、モバイル装置２の機能構成を示すブロック図であり、図７Ｂは、中継装置３の機能構成を示すブロック図であり、図７Ｃは、読影装置４の機能構成を示すブロック図である。
なお、既に説明した構成と同一の構成については、同じ符号を付し、詳細な説明を省略する。
【００５５】
図７Ａに示すように、モバイル装置２は、記憶部２２と、表示部２３と、入力部２４と、通信部２５と、制御部２６と、を含んで構成される。
制御部２６は、記憶部２２に記憶されている各種プログラムを実行することにより、モバイル装置２に係る機能を統括的に制御し、登録情報管理部２６４、患者側転送部２６５、診断結果受信部２６６及び診断結果反映部２６７として機能する。
【００５６】
登録情報管理部２６４は、中継装置３に対して登録情報を送信し、ユーザが中継装置３の各機能を利用するための利用認証を行う。本実施形態の診療記録転送システムＳでは、入力装置１からモバイル装置２への診断画像の転送は、ユーザ登録を行う必要はないものの、中継装置３の利用についてはユーザ登録を必要としている。登録情報管理部２６４は、このユーザ登録に伴う利用認証を行う。
このように診断画像の転送範囲をモバイル装置２までにする場合にはユーザ登録を要求することなく、モバイル装置２だけでなく中継装置３等も転送範囲とする場合にユーザ登録を要求することで、セキュリティを向上させることができ、好適である。
【００５７】
患者側転送部２６５は、診断画像を読影装置４に対して転送する。転送する診断画像は、ユーザにより任意に選択される少なくとも一つの診断画像である。例えば、健康である時に撮影した診断画像と、異常とみられる箇所があると診断された時に撮影した診断画像との双方を医師に転送することで、診断する医師は、健康時と異常時との比較を行いつつ診断することができ、好適である。
上述のように診断画像の転送は、中継装置３を介して行うこととしてもよく、また、モバイル装置２から直接行うこととしてもよい。なお、患者側転送部２６５は、ユーザの入力操作に応じて受け付けたコメントを、診断画像と関連付けて転送することとしてもよい。例えば、ユーザの病歴や症状、検査目的等についてのコメントを受け付け、診断画像と関連付けて転送することで、医師はより適切な診断を行うことができ、好適である。
【００５８】
診断結果受信部２６６は、読影装置４から診断画像に対する医師の診断結果を受信する。この診断結果についても、中継装置３を介して受信することとしてもよく、また、読影装置４から直接受信することとしてもよい。
【００５９】
診断結果反映部２６７は、医師から受信した診断結果を記憶部２２に記憶されている診断画像に反映する。例えば、診断結果反映部２６７は、診断を依頼した医師により挿入された矢印やコメント、所定部位の面積、長さ、大きさ等の情報を、記憶部２２に記憶されている診断画像に反映する。
【００６０】
続いて、中継装置３の構成について説明する。図７Ｂに示すように、中継装置３は、記憶部３１と、通信部３２と、制御部３３と、を含んで構成される。
【００６１】
記憶部３１は、ＲＯＭ及びＲＡＭ等により構成され、中継装置３を機能させるための各種プログラムや各種データを記憶する。また、記憶部３１は、中継装置３を利用するユーザの会員情報記憶部３１１と、紹介する医師の医師情報記憶部３１２とを含む。
会員情報記憶部３１１は、例えば、利用するユーザや当該ユーザのモバイル装置２に対応付けて、パスワード等の認証情報や当該ユーザの属性情報等を記憶する。また、医師情報記憶部３１２は、診断画像を転送する医師に対応付けて、当該医師の診療科、専門分野、所属病院等の各種情報を記憶する。これら医師に対応付けられた各種情報は、当該医師が診断可能な診断画像の種別を特定するために用いられる。
【００６２】
通信部３２は、外部機器との間で通信を行う通信ＩＦであり、例えば、インターネット等を介して通信を行う通信ＩＦである。本実施形態において、中継装置３が入力装置１又は読影装置４と通信する場合、中継装置３は、インターネット等を介して通信を行う。
【００６３】
制御部３３は、例えば、ＣＰＵにより構成される。制御部３３は、記憶部３１に記憶されている各種プログラムを実行することにより、中継装置３に係る機能を統括的に制御し、登録情報管理部３３１、受信部３３２、第１転送部３３３、診断結果受信部３３４及び第２転送部３３５として機能する。
【００６４】
登録情報管理部３３１は、モバイル装置２から送信された登録情報に基づいて、ユーザの利用認証を行う。具体的には、登録情報管理部３３１は、モバイル装置２から送信された登録情報を、会員情報記憶部３１１に記憶される情報と照合し、一致するユーザの利用を許可する。
【００６５】
受信部３３２は、モバイル装置２から転送された診断画像を受信し、記憶部３１に一時的に記憶する。
【００６６】
第１転送部３３３は、医師情報記憶部３１２を参照して、受信した診断画像を診断可能な医師を選択し、選択した医師に関連付けられた読影装置４に対して診断画像を転送する。医師の選択方法は任意であるが、第１転送部３３３は、例えば、診断画像のヘッダ情報に含まれる各種情報と、医師の情報とを比較し、診療科や専門分野が診断画像の種別に適している少なくとも一人の医師を選択する。一例として、診断画像が脳のＭＲＩ画像である場合、脳神経外科の医師を選択する。このとき、診断画像を作成した医師との関係性に基づいて、複数の医師から少なくとも一人の医師を選択することとしてもよい。ここで、関係性に基づいてとは、例えば、診断画像を作成した医師を選択しないこと、当該医師が所属する病院の医師を選択しない又は優先して選択すること、当該病院の系列病院の医師を選択しない又は優先して選択すること等である。もちろん、所定の選択画面を介してユーザから医師の選択を受け付けることで、診断画像を転送する医師を選択することとしてもよい。
また、第１転送部３３３は、診断画像を読影装置４に転送すると、転送した診断画像（即ち、モバイル装置２から受信した診断画像）を記憶部３１から消去する。
【００６７】
診断結果受信部３３４は、読影装置４から転送された診断結果を受信し、記憶部３１に一時的に記憶する。
第２転送部３３５は、受信した診断結果をモバイル装置２に転送する。このとき、第２転送部３３５は、診断結果をモバイル装置２に転送すると、転送した診断結果（即ち、読影装置４から受信した診断結果）を記憶部３１から消去する。
【００６８】
続いて、読影装置４の構成について説明する。図７Ｃに示すように、読影装置４は、記憶部４１と、表示部４２と、通信部４３と、入力部４４と、制御部４５と、院内データベース４６と、を含んで構成される。
【００６９】
記憶部４１は、例えば、ＲＯＭ及びＲＡＭ等により構成され、読影装置４を機能させるための各種プログラムや各種データを記憶する。
表示部４２は、例えば、液晶ディスプレイや有機ＥＬ（Electro-Luminescence）ディスプレイ等により構成される。表示部４２は、制御部４５の制御に応じて診断画像等の各種情報を表示する。
【００７０】
通信部４３は、外部機器との間で通信を行う通信ＩＦであり、例えば、インターネット等を介して通信を行う通信ＩＦ、近距離無線通信を介して通信を行う通信ＩＦ、ケーブルを介して通信を行う通信ＩＦである。本実施形態において、読影装置４がモバイル装置２と通信する場合、読影装置４は、近距離無線通信やケーブル等を介して通信を行う。また、読影装置４が中継装置３と通信する場合、読影装置４は、インターネット等を介して通信を行う。
【００７１】
入力部４４は、例えば、ボタンや、表示部４２に重畳して配置される接触センサ等により構成されており、診断画像を診断する医師からの入力操作や、病院を訪れた患者からの入力操作を受け付ける。
院内データベース４６は、読影装置４がアクセス可能なサーバに設けられた、又は読影装置４自体に設けられたデータベースである。院内データベース４６は、病院内で患者を特定可能な患者ＩＤに対応付けて、当該患者に関する診断画像や電子カルテ等の診療記録を記憶する。
【００７２】
制御部４５は、例えば、ＣＰＵにより構成される。制御部４５は、記憶部４１に記憶されている各種プログラムを実行することにより、読影装置４に係る機能を統括的に制御し、受信部４５１、記憶制御部４５２、診断結果受付部４５３及び医師側転送部４５４として機能する。
【００７３】
受信部４５１は、モバイル装置２から直接又は中継装置３を介して転送された診断画像を受信する。
【００７４】
記憶制御部４５２は、受信した診断画像に設定されている患者ＩＤを、当該病院においてモバイル装置２のユーザに対して設定した患者ＩＤに変更し、院内データベース４６に記憶する。
ＤＩＣＯＭ等の所定の規格では、診断画像のヘッダ情報に患者のＩＤを付すことがあるが、通常、患者に関する情報はそれぞれの病院で独立して管理しているため、同一の患者であってもそれぞれの病院において患者ＩＤが異なる。
【００７５】
そこで、記憶制御部４５２は、受信した診断画像のユーザが、当該病院を過去に利用したことがあり、当該ユーザに対して当該病院の患者ＩＤが既に付されている場合、診断画像のヘッダ情報に含まれるＩＤを、当該病院内の患者ＩＤに自動的に変更する。また、記憶制御部４５２は、受信した診断画像のユーザが、当該病院を初めて利用する患者である場合、当該患者に対して新たな患者ＩＤを設定し、診断画像のヘッダ情報に含まれるＩＤをこの新たな患者ＩＤに自動的に変更することとしてもよく、また、診断画像のヘッダ情報に含まれるＩＤを変更せずにそのまま利用することとしてもよい。
このように患者ＩＤと診断画像とを自動的に対応付けることで、病院内における管理が容易になり、好適である。
【００７６】
なお、診断画像のユーザが転送先の病院の患者であるか否かの判定は、任意の方法により行うことができる。一例として、診断画像のヘッダ情報に含まれる患者情報と、院内データベース４６に記憶されている各種情報とを比較することで、判定することとしてもよく、また、診断画像の転送時にモバイル装置２から過去の診察の有無等についての入力を受け付けることで、判定することとしてもよい。また、診療記録転送システムＳでは、診断画像の転送には会員登録を要求している。そこで、この登録情報を予め病院内の情報と対応付けておくことで、診断画像のユーザが転送先の病院の患者であるか否かを判定することとしてもよい。
【００７７】
診断結果受付部４５３は、受信した診断画像に対して医師が行った診断結果を受け付け、院内データベース４６に記憶する。診断結果としては、例えば、診断画像中に挿入した矢印やコメント、所定部位の面積、長さ、大きさ等の情報が含まれる。
医師側転送部４５４は、院内データベース４６から診断結果を読み出し、モバイル装置２に対して転送する。なお、診断結果の転送は、読影装置４からモバイル装置２に対して直接行うこととしてもよく、また、中継装置３をリレーして行うこととしてもよい。
【００７８】
［読影装置４に診断画像を転送する際の動作の概要］
以上、診療記録転送システムＳを構成するモバイル装置２、中継装置３及び読影装置４の構成について説明した。続いて、モバイル装置２から読影装置４に診断画像を転送するとともに、読影装置４からモバイル装置２に診断結果を転送する際の動作を、図８を参照して説明する。なお、図８に示す例では、診断画像及び診断結果を中継装置３を介してリレー転送することとしている。
【００７９】
図８に示すように、ステップＳ１において、モバイル装置２の登録情報管理部２６４と、中継装置３の登録情報管理部３３１とは、ユーザの認証処理を行う。この処理において認証が完了すると、その後の処理が可能になる。
【００８０】
続いて、モバイル装置２内に記憶されている診断画像の中からユーザが少なくとも一の診断画像を選択すると、ステップＳ２において、モバイル装置２の患者側転送部２６５は、選択された診断画像を中継装置３に対して転送する。その後、中継装置３の受信部３３２が診断画像を受信すると、ステップＳ３において、第１転送部３３３は、当該診断画像を診断可能な医師を選択し、選択した医師が利用可能な読影装置４に対して診断画像を転送する。このとき、第１転送部３３３は、転送した診断画像を中継装置３から消去する。
【００８１】
続いて、読影装置４の受信部４５１が診断画像を受信すると、ステップＳ４において、記憶制御部４５２は、受信した診断画像を院内データベース４６に記憶する。このとき、記憶制御部４５２は、診断画像に付された患者ＩＤを、自病院内の患者ＩＤに変更し、院内データベース４６に記憶する。その後、医師が診断画像を読影し、必要な追加検査や治療の助言等を診断結果としてまとめると、ステップＳ５において、読影装置４の診断結果受付部４５３は、院内データベース４６から診断結果を受け付ける。
【００８２】
続いて、ステップＳ６において、読影装置４の医師側転送部４５４は、受け付けた診断結果を、中継装置３に転送する。中継装置３の診断結果受信部３３４が診断結果を受信すると、ステップＳ７において、第２転送部３３５は、受信した診断結果をモバイル装置２に対して転送する。このとき、第２転送部３３５は、転送した診断結果を中継装置３から消去する。
【００８３】
続いて、モバイル装置２の診断結果受信部２６６が診断結果を受信すると、診断結果反映部２６７は、モバイル装置２内に記憶されている診断画像に診断結果を反映し、ユーザに対して提示する。例えば、医師が挿入した矢印やコメント、所定部位の面積、長さ、大きさ等の情報を診断画像に反映する。
【００８４】
［診療記録転送システムＳの効果］
以上説明した第１実施形態の診療記録転送システムＳによれば、病院等の医療機関から診断画像が記録媒体１００に保存されて配布された場合、ユーザは、記録媒体１００を入力装置１で読み取り、入力装置１に一時保存する。その後、ユーザは、入力装置１から診断画像の転送を受けることで、モバイル装置２に診断画像を保存する。これにより、記録媒体１００に記録されたユーザの診療記録を、当該ユーザが用いるモバイル装置２に転送することができる。その結果、ユーザの診療記録をモバイル装置２で一元管理することができるため、例えば、健康である時の記録と異常がある時の記録とを容易に比較することができ、ユーザは、症状の進行状況等を容易に把握することができる。
【００８５】
このとき、入力装置１に一時的に保存した診断画像は、モバイル装置２への転送が完了すると消去されるため、入力装置１に診断画像が残ったままになることを防止でき、個人情報を適切に保護することができる。
【００８６】
また、入力装置１は、記録媒体１００から診断画像を読み取ると、通信を行うためのコネクション情報を有する二次元コードを生成し、出力する。入力装置１とモバイル装置２との間の通信を、このコネクション情報に基づいて行うことで、モバイル装置２が通常有する二次元コード読み取り機能を利用して容易にコネクションを確立することができ、好適である。
【００８７】
また、診療記録転送システムＳでは、モバイル装置２に保存された診断画像を医師が用いる読影装置４に転送するとともに、読影装置４からモバイル装置２に診断結果を転送する。これにより、ユーザは、診断画像に対する医師の診断を常時受けることができるため、利便性が向上する。
なお、診断画像や診断結果の転送は、モバイル装置２及び読影装置４の間で直接行うこととしてもよく、また、中継装置３を介して行うこととしてもよい。例えば、医師の病院が遠い場合や通院する時間がない場合に、中継装置３を介して診断画像をリレー転送することで、時間をかけることなく医師の診断を受けることができ好適である。また、診断画像を、インターネット等を介することなくモバイル装置２から直接転送することで、自身の診断画像の転送状況をユーザ自身がコントロールすることができ、好適である。
【００８８】
このとき、ユーザの病歴や症状、検査目的等についてのコメントを診断画像とともに読影装置４に対して転送することで、医師はより適切な診断を行うことができ、好適である。
また、読影装置４が診断画像を受信した際に、診断画像に病院内の患者ＩＤを付して記憶することで、診断画像を過去の受診記録と対応付けることができるため、ユーザの受診記録を一元管理することができ、好適である。
【００８９】
［第２実施形態］
以上、第１実施形態の診療記録転送システムＳについて説明した。続いて、本発明の診療記録転送システムＳの第２実施形態について説明する。第１実施形態では、モバイル装置２から診断画像が転送されると、中継装置３が診断画像を診断可能な医師を決定し、当該医師に診断画像を転送することとしている。
ここで、診断を受けるユーザは、診断する医師を自ら選択することを望むことがある。そこで、第２実施形態の診療記録転送システムＳでは、中継装置３が診断画像を診断可能な医師の候補を決定すると、モバイル装置２のユーザがこの候補の中から診断を受ける医師を選択することとしている。
【００９０】
図９は、第２実施形態の診療記録転送システムＳの概要を示す図である。図９に示すように、第２実施形態の診療記録転送システムＳでは、モバイル装置２は、中継装置３に対して診断画像の種別を示す情報を転送する。中継装置３は、診断画像の種別を示す情報に基づいて、多数の医師の中から少なくとも一人の医師を選択し、モバイル装置２のユーザに対して紹介する。
なお、診断画像の種別を示す情報とは、多数の医師の中から当該診断画像を診断可能な医師を選択するために用いられる情報であり、例えば、撮影部位、撮影医用画像機器等を示す情報である。中継装置３は、多数の医師の診療科、専門分野、所属病院等の各種情報を記憶するデータベース（医師情報記憶部３１２）を有しており、診断画像の種別を示す情報に基づいて当該診断画像を診断可能な医師の候補を選択し、モバイル装置２のユーザに対して紹介する。
【００９１】
［医師を紹介する際の動作の概要］
図１０は、第２実施形態の診療記録転送システムＳの動作の概要を示す図である。なお、第１実施形態と共通する部分については図示を省略している。即ち、中継装置３から読影装置４に診断画像を転送する動作（ステップＳ３）以降については、第１実施形態と同様である。
【００９２】
図１０に示すように、第２実施形態のモバイル装置２は、問合せ部２６８と、紹介受信部２６９と、選択部２７０と、を更に含み、中継装置３は、問合せ受信部３３６と、選択部３３７と、料金確認部３３８と、第３転送部３３９と、特定部３４０と、を更に含む。
【００９３】
問合せ部２６８は、中継装置３に対して診断画像を診断可能な医師を問い合わせる。より具体的には、ステップＳ１１において、問合せ部２６８は、診断画像の種別を示す情報を送信し、当該診断画像を診断可能な医師を、中継装置３に対して問い合わせる。ここで、医師の紹介は、読影装置４に診断画像を転送する前に行う必要がある。医師が診断画像を診断する際には診断画像自体が必要になるものの、医師の紹介を行う段階では診断画像自体は必要とせず、診断画像の種別を示す情報があれば足りる。そのため、問合せ部２６８は、少なくとも診断画像の種別を示す情報を用いて医師の問合せを行う。
【００９４】
中継装置３の問合せ受信部３３６がモバイル装置２からの問合せを受信すると、選択部３３７は、多数の医師の中から少なくとも一人の医師を選択する。選択部３３７は、例えば、診断画像の種別を示す情報（撮影部位等）を、医師情報記憶部３１２に記憶されている各種情報と照合し、この診断画像を診断可能な医師を選択する。
続いて、中継装置３の料金確認部３３８は、選択した医師が診断画像を診断する際の料金情報を取得する。この料金情報の取得方法は任意であり、例えば、料金確認部２４４は、選択部２４３が選択した医師に対して診断画像の概要を伝えるとともに、当該医師から当該診断画像を診断する際の料金の回答を受け付ける。また、医師情報記憶部３１２に料金情報が記憶されている場合には、料金確認部３３８は、医師に対して料金の確認を行うことなく、医師情報記憶部３１２から読み出すこととしてもよい。
【００９５】
続いて、ステップＳ１２において、第３転送部３３９は、選択した医師に関する情報をモバイル装置２に対して転送する。なお、医師に関する情報は、ユーザが医師を選択するために用いる任意の情報であり、例えば、医師の診療科、専門分野、経歴、年齢、所属病院等の情報であり、必要に応じて診断を受けた場合の料金情報等を含めることとしてもよい。
【００９６】
続いて、モバイル装置２の紹介受信部２６９が中継装置３から紹介情報を受信すると、モバイル装置２の選択部２７０は、入力部２４を介して受け付けたユーザの選択操作に基づいて、紹介された医師の中から少なくとも一人の医師を選択する。ユーザが医師を選択すると、ステップＳ２において、モバイル装置２の患者側転送部２６５は、医師の選択情報とともに診断画像を中継装置３に転送する。
【００９７】
中継装置３では、受信部３３２がモバイル装置２から選択情報及び診断画像を受信すると、特定部３４０が選択情報に基づきユーザが選択した医師を特定する。続いて、ステップＳ３において、第１転送部３３３は、この特定した医師が用いる読影装置４に対して診断対象の診断画像を転送する。
【００９８】
ここで、第２実施形態の診療記録転送システムＳの具体的な動作例を図１１に示す。
図１１（Ａ）に示すように、モバイル装置２には、モバイル装置２に記憶されている診断画像の一覧が表示される。ユーザがこの一覧の中から、医師による診断を望む診断画像を選択して「送信ボタン」を操作すると、選択した診断画像の種別を示す情報が、モバイル装置２から中継装置３に送信される。
【００９９】
すると、中継装置３では、医師情報記憶部３１２を参照して、当該診断画像を診断可能な一人以上の医師を複数の医師の中から選択する。図１１（Ｂ）では、中継装置３は、医師Ａ，Ｃ，Ｄの三人の医師を選択している。中継装置３は、医師を選択すると、この医師に関する各種情報（料金情報、所属病院、経歴等）をモバイル装置２に送信する。すると、モバイル装置２には、中継装置３で選択した医師が選択可能に表示される。
【０１００】
図１１（Ｃ）に示すように、中継装置３から紹介された医師の中からユーザが一人の医師を選択すると、モバイル装置２から中継装置３に医師の選択情報とともに診断対象の診断画像が転送される。中継装置３は、モバイル装置２及び読影装置４間の通信を中継し、モバイル装置２から転送された診断画像を、選択された医師が用いる読影装置４に転送する。すると、読影装置４では、診断画像に付されたＩＤを病院内の患者ＩＤに変更し、院内データベース４６に保存する。なお、ユーザが当該病院を初めて利用する患者である場合、読影装置４では、診断画像に対して新たな患者ＩＤを付して院内データベース４６に保存することとしてもよく、また、診断画像に含まれるＩＤを変更することなく診断画像を院内データベース４６に保存することとしてもよい。
【０１０１】
その後、医師が院内データベース４６にアクセスし診断画像を読影し、診断画像に対する診断結果を作成すると、図１１（Ｄ）に示すように、読影装置４は、中継装置３を介してモバイル装置２に診断結果を転送する。モバイル装置２では、この診断結果を受信すると、モバイル装置２内に記憶されている診断画像に診断結果を反映し、ユーザに対して提示する。
【０１０２】
以上説明した第２実施形態の診療記録転送システムＳによれば、ユーザ自身が医師を選択することができるため、ユーザが望まない医師に診断画像が提供されることを防止でき、安心して利用することができる。
このとき、ユーザに医師を紹介する際に、料金情報も併せて知らせることとしているため、ユーザは、紹介された医師に対して安心して診断を依頼することができ、好適である。なお、料金情報は、予め記憶しておくこととしてもよく、また、医師から回答を得ることで算出することとしてもよい。
【０１０３】
［第３実施形態］
以上、第１及び第２実施形態の診療記録転送システムＳについて説明した。第１及び第２実施形態の診療記録転送システムＳでは、記録媒体１００に保存された診断画像を、ユーザが用いるモバイル装置２に対して転送することとしている。これに対して、第３実施形態の診療記録転送システムＳは、記録媒体１００に保存された診断画像を、病院側サーバ４Ａ（即ち、病院内のＰＡＣＳサーバ）に転送する。
【０１０４】
記録媒体１００を介して診断画像が配布された場合、ユーザは、この記録媒体１００を直接病院に持参することがある。第３実施形態の診療記録転送システムＳは、このような場合に好適に利用され、ユーザが病院に持参した記録媒体１００に保存された診断画像を、記録媒体１００から病院内のＰＡＣＳサーバに転送する。
そのため、第３実施形態の診療記録転送システムＳでは、病院内のＰＡＣＳサーバが、ユーザが所望する任意の端末装置に相当する。また、第３実施形態の診療記録転送システムＳでは、病院内に設置されたキオスク端末が入力装置１に相当し、ＣＤやＵＳＢ等の補助記録装置又はモバイル装置２が記録媒体１００に相当する。
【０１０５】
図１２は、第３実施形態の診療記録転送システムＳの概要を示す図である。図１２に示すように、第３実施形態において、入力装置１は、コード処理部１５２と、入力部１５１と、診療記録転送部１５３と、を含んで構成される。
【０１０６】
記録媒体１００としてモバイル装置２を用いる場合、モバイル装置２と入力装置１との間のコネクションを確立する必要がある。そこで、コード処理部１５２は、記録媒体１００としてのモバイル装置２との間のコネクションを確立する。例えば、コード処理部１５２は、コネクション情報を含む二次元コードを出力し、モバイル装置２に二次元コードを読み取らせることで、コネクションを確立する。
【０１０７】
入力部１５１は、記録媒体１００から診断画像を取得し、入力装置１内に一時的に記憶する。例えば、記録媒体１００としてＣＤやＵＳＢ等の補助記録装置を用いる場合、入力部１５１は、ＣＤやＵＳＢ等を読み取り、保存された診断画像を取得する。また、記録媒体１００としてモバイル装置２を用いる場合、入力部１５１は、近距離無線通信等を利用してモバイル装置２から診断画像を取得する。
【０１０８】
診療記録転送部１５３は、入力部１５１を介して取得した診断画像を、病院側サーバ４Ａに転送し、病院側サーバ４Ａ内に記憶する。このとき、第３実施形態の診療記録転送システムＳでは、病院側サーバ４Ａに診断画像を転送する際に、診断画像に含まれる患者ＩＤを当該病院内の患者ＩＤに変更する。このような患者ＩＤの変更方法は、上述した通りであるが、第３実施形態の診療記録転送システムＳでは、更に次のような方法を用いて患者ＩＤを変更することができる。
【０１０９】
第３実施形態の診療記録転送システムＳでは、記録媒体１００を持参して病院を訪れたユーザが、入力装置１（キオスク端末）を利用して自己の診断画像を病院側サーバ４Ａに転送する。このようなユーザは、当該病院を利用したことのあるユーザであり、既に患者ＩＤが付されているユーザである。そこで、入力装置１は、ユーザから患者ＩＤの入力を受け付けることで、診断画像に設定する患者ＩＤを取得することとしてもよい。また、例えば、病院を訪れたユーザに対して患者ＩＤが設定された診察券（ＩＣカード）等を配布しておき、この診察券を入力装置１において読み取ることで、診断画像に設定する患者ＩＤを取得することとしてもよい。
【０１１０】
このように、患者ＩＤを変更した診断画像を病院側サーバ４Ａに転送すると、診療記録転送部１５３は、記録媒体１００から転送された全ての診断画像を入力装置１から消去する。
【０１１１】
以上説明した第３実施形態の診療記録転送システムＳによれば、ユーザは、病院に持参した診断画像を当該病院の病院側サーバ４Ａに容易に転送することができる。これにより、ユーザは、当該病院において自身が所有する診断画像を用いた診断を受けることができる。
【０１１２】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
例えば、上記の説明においては、読影装置４で、診断画像に付されたＩＤを病院内の患者ＩＤに変更するものとしたが、読影装置４は、診断画像に付されたＩＤを変更することなく診断画像を保存してもよい。
【符号の説明】
【０１１３】
１・・・入力装置、１５・・・制御部、１５１・・・入力部、１５２・・・コード処理部、１５３・・・診療記録転送部、２・・・モバイル装置、２６・・・制御部、２６１・・・取得部、２６２・・・接続部、２６３・・・受信部、２６４・・・登録情報管理部、２６５・・・患者側転送部、２６６・・・診断結果受信部、２６７・・・診断結果反映部、３・・・中継装置、３３・・・制御部、３３１・・・登録情報管理部、３３２・・・受信部、３３３・・・第１転送部、３３４・・・診断結果受信部、３３５・・・第２転送部、４・・・読影装置、４５・・・制御部、４５１・・・受信部、４５２・・・記憶制御部、４５３・・・診断結果受付部、４５４・・・医師側転送部、Ｓ・・・診療記録転送システム、１００・・・記録媒体、１１０・・・二次元コード、１２０・・・診断画像
【要約】
【課題】記録媒体に記録された患者の診療記録を、患者が望む任意の端末装置に転送する。
【解決手段】診療記録転送システムＳは、ユーザが用いるモバイル装置２と当該モバイル装置２と通信可能な入力装置１とを備える。入力装置１は、記録媒体１００に記録された診断画像１２０を入力し取り込む入力部１５１と、入力した診断画像１２０を一時的に記憶する記憶部１２と、記憶した診断画像１２０をモバイル装置２に転送する診療記録転送部１５３と、を含んで構成される。
【選択図】図１【図１】
0005608830.tif 000002
【図２】
0005608830.tif 000003
【図３Ａ】
0005608830.tif 000004
【図３Ｂ】
0005608830.tif 000005
【図４】
0005608830.tif 000006
【図６】
0005608830.tif 000007
【図７Ａ】
0005608830.tif 000008
【図７Ｂ】
0005608830.tif 000009
【図７Ｃ】
0005608830.tif 000010
【図８】
0005608830.tif 000011
【図９】
0005608830.tif 000012
【図１０】
0005608830.tif 000013
【図１１】
0005608830.tif 000014
【図１２】
0005608830.tif 000015
【図５】
0005608830.tif 000016